(57)【特許請求の範囲】
【請求項１】
ベース板に固定されたシリンダと、このシリンダを貫通して支持され一端部に磁気ディスクを装着して回転するスピンドルとを備え、上記シリンダとスピンドルとの間に形成されたエアベアリングにより該スピンドルが回転支持され、そのスピンドルの下端に設けられたアース手段により該スピンドルがアースされたディスク回転機構において、
上記アース手段は、スピンドルの下端に設けられたボールと、このボールとの接触部分に形成された所定深さの孔部の内部にグリスを充填した導電パッドとを備え、この導電パッドの孔部の上端開口部を塞ぐように上記ボールの下面側を当接させて組み合わせて成ることを特徴とするディスク回転機構。
【請求項２】
上記アース手段の導電パッドは、常時ボール側に付勢されたものであることを特徴とする請求項１記載のディスク回転機構。
【発明の詳細な説明】
【０００１】
【発明の属する技術分野】
本発明は、磁気ディスクの記憶領域の物理的な欠陥やソフト的な記憶性能などの良否を検査する際に該磁気ディスクを回転させるディスク回転機構に関し、特に、スピンドルの下端に設けられたアース手段の保守性を向上することができるディスク回転機構に関する。
【０００２】
【従来の技術】
従来のこの種のディスク回転機構は、ベース板に固定されたシリンダと、このシリンダを貫通して支持され一端部に磁気ディスクを装着して回転するスピンドルとを備え、上記シリンダとスピンドルとの間に形成されたエアベアリングにより該スピンドルが回転支持され、そのスピンドルの下端に設けられたアース手段により該スピンドルがアースされていた。なお、上記スピンドルを回転させるために、シリンダの内周壁に取り付けられた固定電極と、この固定電極に対向してスピンドルの外周面に取り付けられた回転磁石とから成るモータが設けられている。
【０００３】
そして、上記スピンドルの下端に設けられたアース手段は、図４に示すように、スピンドル１の下端に金属製のボール２をその上面側を略半分埋め込んだ状態で設け、このボール２の下面側を導電パッド３の上面に接触させ、この導電パッド３をベース板にアースして構成されていた。この場合、上記スピンドル１は高速回転しボール２も高速回転するので、上記導電パッド３の上面との間の潤滑のため、ボール２と導電パッド３との間に導電性のグリス４を注入していた。
【０００４】
【発明が解決しようとする課題】
しかし、このような従来のディスク回転機構においては、スピンドル１の下端に設けられたアース手段がボール２と導電パッド３との組み合わせから成り、その両者間にグリス４が注入されていたので、使用期間の経過によりグリス切れが生ずると、回転が滑らかでなくなりボール２や導電パッド３が摩耗し、塵が発生して異物の原因となったり、振動が発生して検査のエラーとなることがあった。そのため、定期的に上記両者間に導電性のグリス４を注入して、グリスアップを行っていた。また、このグリスアップを行うには、周辺の部品を取り外さなければならず、保守作業が煩雑であった。
【０００５】
そこで、本発明は、このような問題点に対処し、スピンドルの下端に設けられたアース手段の保守性を向上することができるディスク回転機構を提供することを目的とする。
【０００６】
【課題を解決するための手段】
上記目的を達成するために、本発明によるディスク回転機構は、ベース板に固定されたシリンダと、このシリンダを貫通して支持され一端部に磁気ディスクを装着して回転するスピンドルとを備え、上記シリンダとスピンドルとの間に形成されたエアベアリングにより該スピンドルが回転支持され、そのスピンドルの下端に設けられたアース手段により該スピンドルがアースされたディスク回転機構において、上記アース手段は、スピンドルの下端に設けられたボールと、このボールとの接触部分に形成された所定深さの孔部の内部にグリスを充填した導電パッドとを備え、この導電パッドの孔部の上端開口部を塞ぐように上記ボールの下面側を当接させて組み合わせて成るものである。
【０００７】
また、上記アース手段の導電パッドは、常時ボール側に付勢されたものとしてもよい。
【０００８】
【発明の実施の形態】
以下、本発明の実施の形態を添付図面に基づいて説明する。
図１は本発明によるディスク回転機構の実施の形態を示す断面説明図である。このディスク回転機構は、磁気ディスクの記憶領域の物理的な欠陥やソフト的な記憶性能などの良否を検査する際に該磁気ディスクを回転させるもので、シリンダ５と、スピンドル６と、アース手段７とを備えて成る。
【０００９】
上記シリンダ５は、その中心軸に沿ってスピンドル６を支持すると共に該スピンドル６を回転させるためのもので、その下端部がベース板８に固定されている。なお、ベース板８は、アース９上に電気的に接続して設置されており、上記シリンダ５に帯電した静電気を逃がすようになっている。
【００１０】
上記シリンダ５の内部には、その中心軸に沿ってスピンドル６が回転可能に支持されている。このスピンドル６は、一端部に磁気ディスク１０を装着して回転するもので、上記シリンダ５を貫通して支持されている。そして、上記スピンドル６の上端部にチャックヘッド１１が設けられ、このチャックヘッド１１で磁気ディスク１０を保持するようになっている。
【００１１】
上記シリンダ５とスピンドル６との間には、エアベアリング１２が形成されている。このエアベアリング１２は、上記スピンドル６を回転支持するもので、シリンダ５の側面に設けられたエア圧入パイプ１３から空気１４をシリンダ５とスピンドル６との間の隙間に圧入して、空気圧によりスピンドル６を回転可能に支持するようになっている。また、上記スピンドル６を回転させるために、シリンダ５の内周壁に取り付けられた固定電極１５と、この固定電極１５に対向してスピンドル６の外周面に取り付けられた回転磁石１６とから成るモータ１７が設けられている。
【００１２】
上記スピンドル６の下端には、アース手段７が設けられている。このアース手段７は、上記スピンドル６をアースするもので、該スピンドル６を前記ベース板８に電気的に接続することにより、スピンドル６と共に空気中を回転する磁気ディスク１０に発生する静電気Ｑを該スピンドル６を介してアース９に逃がすようになっている。
【００１３】
ここで、本発明においては、上記アース手段７は、図２に示すように、スピンドル６の下端に設けられたボール１８と、このボール１８との接触部分に形成された所定深さの孔部の内部にグリスを充填した導電パッド１９とを組み合わせて成る。上記ボール１８は、スピンドル６と共に回転して導電パッド１９に電気的に接続するもので、金属製の球からなり、該スピンドル６の下端において上面側が略半分埋め込んだ状態で設けられている。
【００１４】
また、導電パッド１９は、上記スピンドル６をボール１８を介して前記ベース板８に電気的に接続するもので、例えば約８mm四方の平面で高さが４mm程度のブロック状に形成され、その上面にてボール１８の下面側との接触部分に直径が約１〜1.2mm程度で所定の深さを有する孔部２０が形成され、この孔部２０の内部には導電性のグリス２１が充填されている。この孔部２０は、グリス２１を一定量だけ溜めておくグリス溜めとなるものである。なお、図示省略してあるが、上記導電パッド１９は、リード線や導電板等により前記ベース板８に電気的に接続されており、アース９に接地されている。
【００１５】
このように構成されたアース手段７において、図２に示すように、スピンドル６の下端のボール１８を導電パッド１９の上面にて孔部２０の上端開口部に当て嵌めて使用する。これにより、上記ボール１８の下面側と孔部２０内に溜ったグリス２１とは常に接触することとなる。そして、スピンドル６と共にボール１８が回転すると、その微小な遠心力により孔部２０内のグリス２１は該ボール１８の外周面に沿って流れ、ボール１８と導電パッド１９との接触面に薄い油膜２２が形成され、この油膜２２の潤滑作用によりボール１８は滑らかに回転する。このとき、グリス２１は、その適度な粘性により飛散せず、ある量は必ず孔部２０内に留まることとなる。したがって、従来のように定期的にグリスアップをすることなく、上記孔部２０内のグリス２１がなくなるまで長期間、グリスアップの保守は不要となる。
【００１６】
図３は上記アース手段７の他の実施形態を示す斜視説明図である。この実施形態は、アース手段７の導電パッド１９を、常時ボール１８側に付勢するようにしたものである。即ち、グリス２１を充填した孔部２０を有する導電パッド１９を、板バネ２３の基端部２３ａで下面側から支え、この板バネ２３の先端部２３ｂを図１に示すシリンダ５の内壁に固定してある。そして、上記板バネ２３は、導電パッド１９を下から上方に押し上げるように弾性変形されており、図２に示すボール１８の下面側に対して常時接触を保つように付勢されている。この場合、板バネ２３の基端部２３ａは、図１に示すベース板８から少し浮いた状態となっている。また、該板バネ２３は、導電性の材料でできており、上記スピンドル６をボール１８及び導電パッド１９並びにシリンダ５を介してベース板８に接続してアースするようになっている。
【００１７】
なお、上記板バネ２３の代わりに、導電パッド１９の底面にコイルスプリング等の導電性の圧縮バネを設け、この圧縮バネにより上記導電パッド１９を常時ボール１８側に付勢すると共に、ベース板８に接続してアースするようにしてもよい。また、図２に示す孔部２０は、導電パッド１９の下面まで貫通していてもよい。
【００１８】
【発明の効果】
本発明は以上のように構成されたので、スピンドルをアースするアース手段を、上面に形成された所定深さの孔部の内部にグリスを充填した導電パッドの上記孔部の上端開口部を塞ぐように、スピンドルの下端に設けられたボールの下面側を当接させて組み合わせたことにより、上記孔部がグリスを一定量だけ溜めておくグリス溜めとなると共に、上記孔部の上端開口部を塞ぐようにボールの下面側が当接することで、上記スピンドル及びボールが高速回転しても、上記導電パッドの孔部内には必ずある量のグリスが留まることとなる。したがって、従来のように定期的にグリスアップをすることなく、上記孔部内のグリスがなくなるまで長期間、グリスアップの保守を不要とすることができる。このことから、スピンドルの下端に設けられたアース手段の保守性を向上することができる。
【００１９】
また、上記アース手段の導電パッドを、常時ボール側に付勢されたものとした場合は、導電パッドを下から上方に押し上げるようにしてボールの下面側に対して常時接触を保つようにすることができる。
【図面の簡単な説明】
【図１】本発明によるディスク回転機構の実施の形態を示す断面説明図である。
【図２】上記ディスク回転機構におけるアース手段の構造を示す部分拡大断面図である。
【図３】上記アース手段の他の実施形態を示す斜視説明図である。
【図４】従来のディスク回転機構におけるアース手段の構造を示す部分拡大説明図である。
【符号の説明】
５…シリンダ
６…スピンドル
７…アース手段
８…ベース板
９…アース
１０…磁気ディスク
１２…エアベアリング
１８…ボール
１９…導電パッド
２０…孔部
２１…グリス
【図１】
0003773665.tif 000002
【図２】
0003773665.tif 000003
【図３】
0003773665.tif 000004
【図４】
0003773665.tif 000005